(57)【要約】      （修正有）【課題】柔軟性の高い素材を全フレーム部材として適用した場合であっても、ライン結束固定構造を適用することができるとともに、藻やゴミの引っ掛かりを回避することのできるスピナーベイト型ルアーを提供する。【解決手段】アーム６は、複数の細線を撚って形成されたワイヤを屈曲することにより構成されるものであり、ラインアイ５は、このラインアイから斜め後方に伸びるように形成された上部アーム６２及び下部アーム６１の柔軟性を維持しつつも、ラインアイの剛性を確保することができるように、サポート外筒５０が挿着されて形成されている。上部アームの終端にエンドキャップ８が装着され、このエンドキャップにブレード７がスイベル９を介して具えられるように構成されていることが好ましい。【選択図】図１
0003194745.tif 000002
【実用新案登録請求の範囲】
【請求項１】
錘として機能するヘッドと、このヘッドの後方に位置するフックと、前記ヘッドの前方斜め上方に伸びるとともに、ラインアイが形成され、このラインアイから後方斜め上方に伸びるように形成されたアームと、前記アームにおける上部後方付近に回転可能な状態で設けられるブレードとが具えられ、
ラインアイに接続されるラインを引くことにより、前記ブレードを水流によって回転させ、この回転時に生じる振動によって対象魚の捕食を誘うように構成されたスピナーベイト型ルアーにおいて、
前記アームは、複数の細線を撚って形成されたワイヤを屈曲することにより構成されるものであり、前記アームにおけるラインアイは、このラインアイから斜め後方に伸びるように形成された上部アーム及び下部アームの柔軟性を維持しつつも、ラインアイの剛性を確保することができるように、サポート外筒が挿着されて形成されていることを特徴とするスピナーベイト型ルアー。
【請求項２】
錘として機能するヘッドと、このヘッドの後方に位置するフックと、前記ヘッドの前方斜め上方に伸びるとともに、ラインアイが形成され、このラインアイから後方斜め上方に伸びるように形成されたアームと、前記アームにおける上部後方付近に回転可能な状態で設けられるブレードとが具えられ、
ラインアイに接続されるラインを引くことにより、前記ブレードを水流によって回転させ、この回転時に生じる振動によって対象魚の捕食を誘うように構成されたスピナーベイト型ルアーにおいて、
前記アームは、複数の細線を撚って形成されたワイヤを屈曲することにより構成されるものであり、
前記ラインアイから斜め後方に伸びるように形成された上部アームの終端にエンドキャップが装着され、このエンドキャップに対して前記ブレードが具えられるように構成されていることを特徴とするスピナーベイト型ルアー。
【請求項３】
前記エンドキャップは、アームに対してカシメ止めされていることを特徴とする請求項２記載のスピナーベイト型ルアー。
【考案の詳細な説明】
【技術分野】
【０００１】
本考案は小魚の群れ様の動きを擬似的に再現するスピナーベイト型ルアーに関するものであって、特にワイヤによってアームを構成した場合であっても、ブレードの柔軟な動きを実現することができるとともに、藻等の異物の引っ掛かりを防止することのできる構造を有するスピナーベイト型ルアーに係るものである。
【背景技術】
【０００２】
スピナーベイト型ルアー１′は図５に示すように、フック３′を有するヘッド２′と、このヘッド２′の上方に位置する一または二以上のブレード７′とを一体化したものであり、各部材毎の構成要素を工夫することにより、対象魚の捕食を誘うように構成されたものである。
そして前記スピナーベイト型ルアー１′は、水中においてヘッド２′とブレード７′とを的確な位置関係を保って振動させるために、金属線状部材を用いて形成されるアーム６′の形状がバランスのとれた適宜の形状とされている。
このようなバランスが取れた状態を維持することができるように、前記アーム６′は弾性素材により形成されるものであり、例えばステンレス等の金属単線が適用され、充分な強度を具えることにより保形性が高くなる径のものが適用されていた。しかしながらこのような保形性が高いアーム６′を用いた場合には、振動が抑制されることによりヘッド２′とブレード７′との位置関係が不変となってしまいがちであり、各部材がそれぞれ単独で集魚効果を発揮するにとどまり、結果的に単調な集魚効果しか発揮することができなくなってしまうことは避けられなかった。
【０００３】
このためヘッド２′とブレード７′との位置関係について一定範囲内での移動許容を持たせるために、アーム６′を細径のものとしたり、撚り線状の金属ワイヤーが適用されたものとすることが提案されている。
一方で前記アーム６′の中央付近にはラインアイ５′が設けられるが、その加工の手間や製造コスト低減の要請から、従来より、アーム６′を構成する線状部材を屈曲させて形成する手法が採られている。
このため、保形性が低い素材を用いた場合には、ラインアイ５′を形成することができないが、あるいは形成することができても変形等により十分な機能を発揮することができないものとなってしまう。
【０００４】
もちろん図５（ａ）に示すように、根掛りしてしまったときにアーム６′が曲がったり折損することのないように、ラインアイ５′とヘッド２′との間を結ぶ下部アーム６１′を太くすることも行われており、ラインＬの張力が直接かからない上部アーム６２′を細いままとするような構成も採用されている（例えば特許文献１参照）。しかしながらこのような構成では、上部アーム６２′に取り付けられるブレード７′は一定範囲内で移動するものの、下部アーム６１′に取り付けられるヘッド２′は一定範囲内で移動することができなくなってしまう。
【０００５】
また前記アーム６′として撚り線状の金属ワイヤーが適用される場合、図５（ｂ）に示すように、上部アーム６２′の終端部を曲げてスイベル９′取付用のループを形成し、止め具を用いて固定してループの形状を維持するような構成が採られている。この場合、金属ワイヤーの先端が止め具から突出しているときには、この部分に藻やゴミが引っ掛かってしまい、本来のスピナーベイト型ルアー１′の動きを阻害して集魚効果を発揮することができなくなってしまう。
【先行技術文献】
【特許文献】
【０００６】
【特許文献１】実用新案登録第３０３８７０９号
【考案の概要】
【考案が解決しようとする課題】
【０００７】
本考案はこのような現状を考慮してなされたものであって、ルアー全体の集魚効果を高めるために、柔軟性の高い素材を全フレーム部材として適用した場合であっても、従来用いられていたライン結束固定構造を適用することができるとともに、藻やゴミの引っ掛かりを回避することのできる新規な構成を有するスピナーベイト型ルアーの開発を技術課題としたものである。
【課題を解決するための手段】
【０００８】
すなわち請求項１記載のスピナーベイト型ルアーは、錘として機能するヘッドと、このヘッドの後方に位置するフックと、前記ヘッドの前方斜め上方に伸びるとともに、ラインアイが形成され、このラインアイから後方斜め上方に伸びるように形成されたアームと、前記アームにおける上部後方付近に回転可能な状態で設けられるブレードとが具えられ、ラインアイに接続されるラインを引くことにより、前記ブレードを水流によって回転させ、この回転時に生じる振動によって対象魚の捕食を誘うように構成されたスピナーベイト型ルアーにおいて、前記アームは、複数の細線を撚って形成されたワイヤを屈曲することにより構成されるものであり、前記アームにおけるラインアイは、このラインアイから斜め後方に伸びるように形成された上部アーム及び下部アームの柔軟性を維持しつつも、ラインアイの剛性を確保することができるように、サポート外筒が挿着されて形成されていることを特徴として成るものである。
【０００９】
また請求項２記載のスピナーベイト型ルアーは、錘として機能するヘッドと、このヘッドの後方に位置するフックと、前記ヘッドの前方斜め上方に伸びるとともに、ラインアイが形成され、このラインアイから後方斜め上方に伸びるように形成されたアームと、前記アームにおける上部後方付近に回転可能な状態で設けられるブレードとが具えられ、ラインアイに接続されるラインを引くことにより、前記ブレードを水流によって回転させ、この回転時に生じる振動によって対象魚の捕食を誘うように構成されたスピナーベイト型ルアーにおいて、前記アームは、複数の細線を撚って形成されたワイヤを屈曲することにより構成されるものであり、前記ラインアイから斜め後方に伸びるように形成された上部アームの終端にエンドキャップが装着され、このエンドキャップに対して前記ブレードが具えられるように構成されていることを特徴として成るものである。
【００１０】
更にまた請求項３記載のスピナーベイト型ルアーは、前記請求項２記載の要件に加え、前記エンドキャップは、アームに対してカシメ止めされていることを特徴として成るものである。
そしてこれら各請求項記載の考案の構成を手段として前記課題の解決が図られる。
【考案の効果】
【００１１】
まず請求項１記載の本考案によれば、ブレードの回転によって生じる振動により、個々のスカート要素が広範囲でなびくことにより、小魚の群れ様の動きを擬似的に再現するものである。この際、下部アーム及び上部アームは、柔軟性を維持できる性状のものが採用されているため、ヘッドとブレードとの位置関係について一定範囲内での移動許容が付与されて、これらが接近離反することとなり、上記小魚の群れ様の動きの演出を効果的に行うことができるものである。
そしてスピナーベイト型ルアーがこのような動作を行うことにより、集魚効果を高め、良好な釣果を期待することができる。
【００１２】
また請求項２記載の本考案によれば、上部アームの終端に装着されたエンドキャップに対してブレードが具えられる構成が採られているため、上部アームの終端に藻やゴミが引っ掛かってしまうことを回避することができ、良好な釣果を期待することができる。
【００１３】
更にまた請求項３記載の本考案によれば、エンドキャップを簡素な構成としながらも、上部アームに対する固着を強固にかつ確実に行うことができる。
【図面の簡単な説明】
【００１４】
【図１】本考案のスピナーベイト型ルアーを示す側面図である。
【図２】スピナーベイト型ルアーの製造の様子を段階的に示す側面図である。
【図３】エンドキャップを示す斜視図及びブレードを示す平面図である。
【図４】スカートの挿着の様子を段階的に示す側面図である。
【図５】従来のスピナーベイト型ルアーを示す側面図である。
【考案を実施するための形態】
【００１５】
以下本考案のスピナーベイト型ルアーについて、図示の実施例に基づいて具体的に説明する。なおこの実施例に対して本考案の技術的思想の範囲内における技術的改変を加えることも可能である。
【実施例】
【００１６】
図中、符号１で示すものが本考案のスピナーベイト型ルアーであって、このものは錘として機能するヘッド２と、このヘッド２の後方に位置するフック３と、前記ヘッド２の前方斜め上方に伸びるとともに、ラインアイ５が形成され、このラインアイ５から後方斜め上方に伸びるように形成されたアーム６と、このアーム６における上部後方付近に回転可能な状態で設けられるブレード７とが具えられて成るルアーである。なお前記ヘッド２の後部に対しては、適宜スカート４が具えられる。
そして、アングラーがリトリーブやロッドアクションによって、ラインアイ５に接続されるラインＬを引くことにより、前記ブレード７を水流によって回転させ、この回転時に生じる振動によって前記スカート４をなびかせて、小魚の群れ様の動きを擬似的に再現させる演出を行うことにより対象魚の捕食を誘うものである。
また本考案のスピナーベイト型ルアー１は、アーム６の柔軟性を維持しつつも、ラインアイ５の剛性を確保することができるように構成されており、ヘッド２とブレード７との位置関係について一定範囲内での移動許容が可能となり、各部材がそれぞれ共働して集魚効果を発揮することができ、結果的に良好な集魚効果を発揮することができるものである。
更にまた本考案のスピナーベイト型ルアー１は、アーム６（上部アーム６２）の終端に、後述するエンドキャップ８が装着され、このエンドキャップ８に対してスイベル９等を介在させてブレード７が具えられるように構成されているため、アーム６（上部アーム６２）の終端部分に藻やゴミが引っ掛かってしまいのを防止して、本来の集魚効果を発揮することができるものである。
【００１７】
以下、スピナーベイト型ルアー１の構成要素について詳しく説明した後、スピナーベイト型ルアー１の作動態様について説明する。
まず前記ヘッド２は錘として機能してルアーの姿勢を安定させる部材であり、且つフック３の前方に位置して障害物を弾き、障害物がフック３に引っ掛かってしまうことを防ぐ役割を担う部材である。
この実施例では一例として図２に示すように、水を受け流すような流線形に鉛を成型してヘッド２が構成されるものであり、更に魚の頭部に模した形状とするとともに塗装を施すようにした。またヘッド２の後部には、スカート４を挿着するための溝状の細径部２０が形成される。
なお本明細書中においては、魚の頭部に模したヘッド２が向く方向を前方とする。
また図２（ｃ）に示すように、前記フック３の根元部分及びアーム６の下端部がヘッド２に鋳込まれて一体化されるものである。なおフック３及びアーム６がヘッド２から抜けてしまわないように、アーム６とヘッド２とを一体化しするなど、適宜の抜け止め防止構造が採られるものとする。
【００１８】
また前記フック３は一例としてシングルフックが適用されるものであり、更に正面視において、ラインＬが結ばれるラインアイ５及びヘッド２と同一の垂直面内にフック３を位置させることにより、アシ等の障害物にヘッド２が先に当たることとなるため、フック３が根掛りしてしまうのを防止することが可能とされている。
【００１９】
また前記スカート４は、シリコンゴム等を素材として成る細紐状のスカート要素４０が複数本用いられるものであり、図４（ａ）（ｂ）に示すように、ヘッド２の細径部２０の側周方向にスカート要素４０が均等に分布するようにした状態で、スカート要素４０の略中心部において線材４１を巻きつけることにより固定される。更に図４（ｃ）に示すように、細径部２０よりも前方に位置するスカート要素４０を、後方に折り返すことにより、スカート４をボルームを持った状態でフック３を囲繞させることができる。
【００２０】
次に前記アーム６は、複数の細線を撚って形成されたワイヤを屈曲することにより構成されるものであり、線材の中央付近を円弧状に曲げてラインアイ５が形成されて成るものである。そして、このラインアイ５の下方側に斜め後方に伸びるように下部アーム６１が形成され、更にラインアイ５の上方側に斜め後方に伸びるように上部アーム６２が形成されたものである。
また本考案の特徴的構成として、前記ラインアイ５は、下部アーム６１及び上部アーム６２の柔軟性を維持しつつも、ラインアイ５の剛性を確保することができるように、サポート外筒５０が挿着された状態で形成される。
具体的には図２（ａ）に示すように、所定の長さに切り揃えられた一例として直径０．８〜１．０ｍｍ程度のワイヤを、サポート外筒５０に対して挿通状態とし、所定の個所に位置させる。
次いで図２（ｂ）に示すように、型材に対してサポート外筒５０を押し付けることによりこのものを所望の形状に変形させる。この際、サポート外筒５０の内部に位置するワイヤも同様に変形するとともに、サポート外筒５０によってその形状が保持されることとなる。その後、型材を引き抜くようにして離形することにより、下部アーム６１、ラインアイ５及び上部アーム６２が形成されたアーム６が形成されることとなる。
【００２１】
また前記エンドキャップ８は、一例として金属素材を押出成型して成るものであり、有底円筒状の中空本体部８０の底板外部に対して、平板状の取付板８１が具えられ、この取付板８１に対して、一例として打ち抜き加工により取付孔８２が形成されている。
そして前記上部アーム６２の終端にエンドキャップ８が装着されるものであり、この実施例では一例として、前記エンドキャップ８の中空本体部８０に対して上部アーム６２の終端を挿入した状態で中空本体部８０の一部を潰すことにより、カシメ止めするようにした。なお上部アーム６２の終端に対するエンドキャップ８の固定を、はんだ付けや接着剤によって行うようにしてもよい。
【００２２】
また前記ブレード７は、ステンレス等の金属素材がスプーンのさら状に形成されたものであり、水流を受けて回転する部材である。この形状については、大別して、木の葉状のウィローブレードタイプ、円形に近いコロラドタイプ、これらの中間のインディアナタイプとして区別されている。
そしてブレード７の態様としては、単体で具えられるシングルタイプ、同一タイプのものが二個具えられるダブルタイプあるいは異なるタイプのものを組み合わせて具えるタンデムタイプが適宜選択されるものであり、図１に示したものはシングルタイプである。
なおブレード７は、スイベル９及びスプリットリング１０を用いてエンドキャップ８に装着される。
【００２３】
本考案のスピナーベイト型ルアー１は、一例として上述したように構成されるものであり、実際の使用時には、ブレード４の回転によって生じる振動により、個々のスカート要素５０が広範囲でなびくことにより、小魚の群れ様の動きを擬似的に再現するものである。この際、下部アーム６１及び上部アーム６２は、柔軟性を維持できる性状のものが採用されているため、ヘッド２とブレード７との位置関係について一定範囲内での移動許容が付与されて、これらが接近離反することとなり、上記小魚の群れ様の動きの演出を効果的に行うことができるものである。
そしてスピナーベイト型ルアー１がこのような動作を行うことにより、集魚効果を高め、良好な釣果を期待することができる。
また本考案のスピナーベイト型ルアー１は、上部アーム６２の終端に装着されたエンドキャップ８に対してブレード７が具えられる構成が採られているため、上部アーム６２の終端に藻やゴミが引っ掛かってしまうことを回避することができ、良好な釣果を期待することができる。
【符号の説明】
【００２４】
１      スピナーベイト型ルアー
２      ヘッド
２０    細径部
３      フック
４      スカート
４０    スカート要素
４１    線材
５      ラインアイ
５０    サポート外筒
６      アーム
６１    下部アーム
６２    上部アーム
７      ブレード
７０    取付孔
８      エンドキャップ
８０    中空本体部
８１    取付板
８２    取付孔
９      スイベル
１０    スプリットリング
Ｌ      ライン
【図１】
0003194745.tif 000003
【図２】
0003194745.tif 000004
【図３】
0003194745.tif 000005
【図４】
0003194745.tif 000006
【図５】
0003194745.tif 000007
【手続補正書】
【提出日】平成26年10月8日(2014.10.8)
【手続補正１】
【補正対象書類名】明細書
【補正対象項目名】全文
【補正方法】変更
【補正の内容】
【考案の詳細な説明】
【技術分野】
【０００１】
本考案は小魚の群れ様の動きを擬似的に再現するスピナーベイト型ルアーに関するものであって、特にワイヤによってアームを構成した場合であっても、ブレードの柔軟な動きを実現することができるとともに、藻等の異物の引っ掛かりを防止することのできる構造を有するスピナーベイト型ルアーに係るものである。
【背景技術】
【０００２】
スピナーベイト型ルアー１′は図５に示すように、フック３′を有するヘッド２′と、このヘッド２′の上方に位置する一または二以上のブレード７′とを一体化したものであり、各部材毎の構成要素を工夫することにより、対象魚の捕食を誘うように構成されたものである。
そして前記スピナーベイト型ルアー１′は、水中においてヘッド２′とブレード７′とを的確な位置関係を保って振動させるために、金属線状部材を用いて形成されるアーム６′の形状がバランスのとれた適宜の形状とされている。
このようなバランスが取れた状態を維持することができるように、前記アーム６′は弾性素材により形成されるものであり、例えばステンレス等の金属単線が適用され、充分な強度を具えることにより保形性が高くなる径のものが適用されていた。しかしながらこのような保形性が高いアーム６′を用いた場合には、振動が抑制されることによりヘッド２′とブレード７′との位置関係が不変となってしまいがちであり、各部材がそれぞれ単独で集魚効果を発揮するにとどまり、結果的に単調な集魚効果しか発揮することができなくなってしまうことは避けられなかった。
【０００３】
このためヘッド２′とブレード７′との位置関係について一定範囲内での移動許容を持たせるために、アーム６′を細径のものとしたり、撚り線状の金属ワイヤーが適用されたものとすることが提案されている。
一方で前記アーム６′の中央付近にはラインアイ５′が設けられるが、その加工の手間や製造コスト低減の要請から、従来より、アーム６′を構成する線状部材を屈曲させて形成する手法が採られている。
このため、保形性が低い素材を用いた場合には、ラインアイ５′を形成することができないが、あるいは形成することができても変形等により十分な機能を発揮することができないものとなってしまう。
【０００４】
もちろん図５（ａ）に示すように、根掛りしてしまったときにアーム６′が曲がったり折損することのないように、ラインアイ５′とヘッド２′との間を結ぶ下部アーム６１′を太くすることも行われており、ラインＬの張力が直接かからない上部アーム６２′を細いままとするような構成も採用されている（例えば特許文献１参照）。しかしながらこのような構成では、上部アーム６２′に取り付けられるブレード７′は一定範囲内で移動するものの、下部アーム６１′に取り付けられるヘッド２′は一定範囲内で移動することができなくなってしまう。
【０００５】
また前記アーム６′として撚り線状の金属ワイヤーが適用される場合、図５（ｂ）に示すように、上部アーム６２′の終端部を曲げてスイベル９′取付用のループを形成し、止め具を用いて固定してループの形状を維持するような構成が採られている。この場合、金属ワイヤーの先端が止め具から突出しているときには、この部分に藻やゴミが引っ掛かってしまい、本来のスピナーベイト型ルアー１′の動きを阻害して集魚効果を発揮することができなくなってしまう。
【先行技術文献】
【特許文献】
【０００６】
【特許文献１】実用新案登録第３０３８７０９号
【考案の概要】
【考案が解決しようとする課題】
【０００７】
本考案はこのような現状を考慮してなされたものであって、ルアー全体の集魚効果を高めるために、柔軟性の高い素材を全フレーム部材として適用した場合であっても、従来用いられていたライン結束固定構造を適用することができるとともに、藻やゴミの引っ掛かりを回避することのできる新規な構成を有するスピナーベイト型ルアーの開発を技術課題としたものである。
【課題を解決するための手段】
【０００８】
すなわち請求項１記載のスピナーベイト型ルアーは、錘として機能するヘッドと、このヘッドの後方に位置するフックと、前記ヘッドの前方斜め上方に伸びるとともに、ラインアイが形成され、このラインアイから後方斜め上方に伸びるように形成されたアームと、前記アームにおける上部後方付近に回転可能な状態で設けられるブレードとが具えられ、ラインアイに接続されるラインを引くことにより、前記ブレードを水流によって回転させ、この回転時に生じる振動によって対象魚の捕食を誘うように構成されたスピナーベイト型ルアーにおいて、前記アームは、複数の細線を撚って形成されたワイヤを屈曲することにより構成されるものであり、前記アームにおけるラインアイは、このラインアイから斜め後方に伸びるように形成された上部アーム及び下部アームの柔軟性を維持しつつも、ラインアイの剛性を確保することができるように、サポート外筒が挿着されて形成されていることを特徴として成るものである。
【０００９】
また請求項２記載のスピナーベイト型ルアーは、前記請求項１記載の要件に加え、前記ラインアイから斜め後方に伸びるように形成された上部アームの終端にエンドキャップが装着され、このエンドキャップに対して前記ブレードが具えられるように構成されていることを特徴として成るものである。
【００１０】
更にまた請求項３記載のスピナーベイト型ルアーは、前記請求項２記載の要件に加え、前記エンドキャップは、アームに対してカシメ止めされていることを特徴として成るものである。
そしてこれら各請求項記載の考案の構成を手段として前記課題の解決が図られる。
【考案の効果】
【００１１】
まず請求項１記載の本考案によれば、ブレードの回転によって生じる振動により、個々のスカート要素が広範囲でなびくことにより、小魚の群れ様の動きを擬似的に再現するものである。この際、下部アーム及び上部アームは、柔軟性を維持できる性状のものが採用されているため、ヘッドとブレードとの位置関係について一定範囲内での移動許容が付与されて、これらが接近離反することとなり、上記小魚の群れ様の動きの演出を効果的に行うことができるものである。
そしてスピナーベイト型ルアーがこのような動作を行うことにより、集魚効果を高め、良好な釣果を期待することができる。
【００１２】
また請求項２記載の本考案によれば、上部アームの終端に装着されたエンドキャップに対してブレードが具えられる構成が採られているため、上部アームの終端に藻やゴミが引っ掛かってしまうことを回避することができ、良好な釣果を期待することができる。
【００１３】
更にまた請求項３記載の本考案によれば、エンドキャップを簡素な構成としながらも、上部アームに対する固着を強固にかつ確実に行うことができる。
【図面の簡単な説明】
【００１４】
【図１】本考案のスピナーベイト型ルアーを示す側面図である。
【図２】スピナーベイト型ルアーの製造の様子を段階的に示す側面図である。
【図３】エンドキャップを示す斜視図及びブレードを示す平面図である。
【図４】スカートの挿着の様子を段階的に示す側面図である。
【図５】従来のスピナーベイト型ルアーを示す側面図である。
【考案を実施するための形態】
【００１５】
以下本考案のスピナーベイト型ルアーについて、図示の実施例に基づいて具体的に説明する。なおこの実施例に対して本考案の技術的思想の範囲内における技術的改変を加えることも可能である。
【実施例】
【００１６】
図中、符号１で示すものが本考案のスピナーベイト型ルアーであって、このものは錘として機能するヘッド２と、このヘッド２の後方に位置するフック３と、前記ヘッド２の前方斜め上方に伸びるとともに、ラインアイ５が形成され、このラインアイ５から後方斜め上方に伸びるように形成されたアーム６と、このアーム６における上部後方付近に回転可能な状態で設けられるブレード７とが具えられて成るルアーである。なお前記ヘッド２の後部に対しては、適宜スカート４が具えられる。
そして、アングラーがリトリーブやロッドアクションによって、ラインアイ５に接続されるラインＬを引くことにより、前記ブレード７を水流によって回転させ、この回転時に生じる振動によって前記スカート４をなびかせて、小魚の群れ様の動きを擬似的に再現させる演出を行うことにより対象魚の捕食を誘うものである。
また本考案のスピナーベイト型ルアー１は、アーム６の柔軟性を維持しつつも、ラインアイ５の剛性を確保することができるように構成されており、ヘッド２とブレード７との位置関係について一定範囲内での移動許容が可能となり、各部材がそれぞれ共働して集魚効果を発揮することができ、結果的に良好な集魚効果を発揮することができるものである。
更にまた本考案のスピナーベイト型ルアー１は、アーム６（上部アーム６２）の終端に、後述するエンドキャップ８が装着され、このエンドキャップ８に対してスイベル９等を介在させてブレード７が具えられるように構成されているため、アーム６（上部アーム６２）の終端部分に藻やゴミが引っ掛かってしまいのを防止して、本来の集魚効果を発揮することができるものである。
【００１７】
以下、スピナーベイト型ルアー１の構成要素について詳しく説明した後、スピナーベイト型ルアー１の作動態様について説明する。
まず前記ヘッド２は錘として機能してルアーの姿勢を安定させる部材であり、且つフック３の前方に位置して障害物を弾き、障害物がフック３に引っ掛かってしまうことを防ぐ役割を担う部材である。
この実施例では一例として図２に示すように、水を受け流すような流線形に鉛を成型してヘッド２が構成されるものであり、更に魚の頭部に模した形状とするとともに塗装を施すようにした。またヘッド２の後部には、スカート４を挿着するための溝状の細径部２０が形成される。
なお本明細書中においては、魚の頭部に模したヘッド２が向く方向を前方とする。
また図２（ｃ）に示すように、前記フック３の根元部分及びアーム６の下端部がヘッド２に鋳込まれて一体化されるものである。なおフック３及びアーム６がヘッド２から抜けてしまわないように、アーム６とヘッド２とを一体化しするなど、適宜の抜け止め防止構造が採られるものとする。
【００１８】
また前記フック３は一例としてシングルフックが適用されるものであり、更に正面視において、ラインＬが結ばれるラインアイ５及びヘッド２と同一の垂直面内にフック３を位置させることにより、アシ等の障害物にヘッド２が先に当たることとなるため、フック３が根掛りしてしまうのを防止することが可能とされている。
【００１９】
また前記スカート４は、シリコンゴム等を素材として成る細紐状のスカート要素４０が複数本用いられるものであり、図４（ａ）（ｂ）に示すように、ヘッド２の細径部２０の側周方向にスカート要素４０が均等に分布するようにした状態で、スカート要素４０の略中心部において線材４１を巻きつけることにより固定される。更に図４（ｃ）に示すように、細径部２０よりも前方に位置するスカート要素４０を、後方に折り返すことにより、スカート４をボルームを持った状態でフック３を囲繞させることができる。
【００２０】
次に前記アーム６は、複数の細線を撚って形成されたワイヤを屈曲することにより構成されるものであり、線材の中央付近を円弧状に曲げてラインアイ５が形成されて成るものである。そして、このラインアイ５の下方側に斜め後方に伸びるように下部アーム６１が形成され、更にラインアイ５の上方側に斜め後方に伸びるように上部アーム６２が形成されたものである。
また本考案の特徴的構成として、前記ラインアイ５は、下部アーム６１及び上部アーム６２の柔軟性を維持しつつも、ラインアイ５の剛性を確保することができるように、サポート外筒５０が挿着された状態で形成される。
具体的には図２（ａ）に示すように、所定の長さに切り揃えられた一例として直径０．８〜１．０ｍｍ程度のワイヤを、サポート外筒５０に対して挿通状態とし、所定の個所に位置させる。
次いで図２（ｂ）に示すように、型材に対してサポート外筒５０を押し付けることによりこのものを所望の形状に変形させる。この際、サポート外筒５０の内部に位置するワイヤも同様に変形するとともに、サポート外筒５０によってその形状が保持されることとなる。その後、型材を引き抜くようにして離形することにより、下部アーム６１、ラインアイ５及び上部アーム６２が形成されたアーム６が形成されることとなる。
【００２１】
また前記エンドキャップ８は、一例として金属素材を押出成型して成るものであり、有底円筒状の中空本体部８０の底板外部に対して、平板状の取付板８１が具えられ、この取付板８１に対して、一例として打ち抜き加工により取付孔８２が形成されている。
そして前記上部アーム６２の終端にエンドキャップ８が装着されるものであり、この実施例では一例として、前記エンドキャップ８の中空本体部８０に対して上部アーム６２の終端を挿入した状態で中空本体部８０の一部を潰すことにより、カシメ止めするようにした。なお上部アーム６２の終端に対するエンドキャップ８の固定を、はんだ付けや接着剤によって行うようにしてもよい。
【００２２】
また前記ブレード７は、ステンレス等の金属素材がスプーンのさら状に形成されたものであり、水流を受けて回転する部材である。この形状については、大別して、木の葉状のウィローブレードタイプ、円形に近いコロラドタイプ、これらの中間のインディアナタイプとして区別されている。
そしてブレード７の態様としては、単体で具えられるシングルタイプ、同一タイプのものが二個具えられるダブルタイプあるいは異なるタイプのものを組み合わせて具えるタンデムタイプが適宜選択されるものであり、図１に示したものはシングルタイプである。
なおブレード７は、スイベル９及びスプリットリング１０を用いてエンドキャップ８に装着される。
【００２３】
本考案のスピナーベイト型ルアー１は、一例として上述したように構成されるものであり、実際の使用時には、ブレード４の回転によって生じる振動により、個々のスカート要素５０が広範囲でなびくことにより、小魚の群れ様の動きを擬似的に再現するものである。この際、下部アーム６１及び上部アーム６２は、柔軟性を維持できる性状のものが採用されているため、ヘッド２とブレード７との位置関係について一定範囲内での移動許容が付与されて、これらが接近離反することとなり、上記小魚の群れ様の動きの演出を効果的に行うことができるものである。
そしてスピナーベイト型ルアー１がこのような動作を行うことにより、集魚効果を高め、良好な釣果を期待することができる。
また本考案のスピナーベイト型ルアー１は、上部アーム６２の終端に装着されたエンドキャップ８に対してブレード７が具えられる構成が採られているため、上部アーム６２の終端に藻やゴミが引っ掛かってしまうことを回避することができ、良好な釣果を期待することができる。
【符号の説明】
【００２４】
１      スピナーベイト型ルアー
２      ヘッド
２０    細径部
３      フック
４      スカート
４０    スカート要素
４１    線材
５      ラインアイ
５０    サポート外筒
６      アーム
６１    下部アーム
６２    上部アーム
７      ブレード
７０    取付孔
８      エンドキャップ
８０    中空本体部
８１    取付板
８２    取付孔
９      スイベル
１０    スプリットリング
Ｌ      ライン
【手続補正２】
【補正対象書類名】実用新案登録請求の範囲
【補正対象項目名】全文
【補正方法】変更
【補正の内容】
【実用新案登録請求の範囲】
【請求項１】
錘として機能するヘッドと、このヘッドの後方に位置するフックと、前記ヘッドの前方斜め上方に伸びるとともに、ラインアイが形成され、このラインアイから後方斜め上方に伸びるように形成されたアームと、前記アームにおける上部後方付近に回転可能な状態で設けられるブレードとが具えられ、
ラインアイに接続されるラインを引くことにより、前記ブレードを水流によって回転させ、この回転時に生じる振動によって対象魚の捕食を誘うように構成されたスピナーベイト型ルアーにおいて、
前記アームは、複数の細線を撚って形成されたワイヤを屈曲することにより構成されるものであり、前記アームにおけるラインアイは、このラインアイから斜め後方に伸びるように形成された上部アーム及び下部アームの柔軟性を維持しつつも、ラインアイの剛性を確保することができるように、サポート外筒が挿着されて形成されていることを特徴とするスピナーベイト型ルアー。
【請求項２】
前記ラインアイから斜め後方に伸びるように形成された上部アームの終端にエンドキャップが装着され、このエンドキャップに対して前記ブレードが具えられるように構成されていることを特徴とする請求項１記載のスピナーベイト型ルアー。
【請求項３】
前記エンドキャップは、アームに対してカシメ止めされていることを特徴とする請求項２記載のスピナーベイト型ルアー。